(57)【要約】【課題】設置場所の自由度をより高めることが可能な照明装置、照明器具及び取付ベースを提供する。【解決手段】照明装置２００は、電池パック８を電源として光源３０を点灯させる照明器具１と、照明器具１が取り付けられる取付ベース１００と、を備える。取付ベース１００は、照明器具１が着脱可能に取り付けられるベース本体１０１と、ベース本体１０１に保持されたマグネット１１０と、を含む。【選択図】図２
2019067532.tif 000002
【特許請求の範囲】
【請求項１】
電池パックを電源として光源を点灯させる照明器具と、前記照明器具が取り付けられる取付ベースと、を備え、
前記取付ベースは、
前記照明器具が着脱可能に取り付けられるベース本体と、
前記ベース本体に保持されたマグネットと、を含む、
照明装置。
【請求項２】
前記照明器具は、
前記ベース本体に向かって突出した係止爪を含み、
前記取付ベースは、
前記ベース本体から前記照明器具に向かって突出し、前記ベース本体に前記照明器具が取り付けられた状態で前記係止爪に引っ掛かるフックを更に含む、
請求項１に記載の照明装置。
【請求項３】
前記取付ベースは、厚み方向に可撓性を有する撓み部を更に含み、
前記フックは、前記撓み部から前記厚み方向において前記照明器具に向かって突出している、
請求項２に記載の照明装置。
【請求項４】
前記ベース本体は、長尺のレール部を含み、
前記照明器具は、
前記ベース本体側及び前記レール部の長手方向に沿った方向の一端側が開放されており、前記一端側から前記レール部が出入り可能なガイド溝を有し、
前記レール部は、
長尺のレール本体と、
前記レール本体の幅方向の両側面から互いに離れる向きに突出した一対の張出片と、を含み、
前記照明器具は、
前記レール本体の幅方向に沿った前記ガイド溝の両側面から互いに近づく向きに突出し、前記一対の張出片に重なる一対のガイド片を含み、
前記ガイド溝の底面と前記一対のガイド片との距離が、前記底面と前記一対の張出片との距離よりも長い
請求項１乃至３のいずれか一項に記載の照明装置。
【請求項５】
前記取付ベースは、前記取付ベースの前記レール部が前記ガイド溝に対して規定の向きとは逆の向きから挿入されるのを防止する逆挿入防止突起を更に含む、
請求項４に記載の照明装置。
【請求項６】
前記逆挿入防止突起は、前記ベース本体から前記ガイド溝の前記底面に向かって突出しており、
前記逆挿入防止突起の先端が前記レール本体の先端面を含む平面よりも前記照明器具側に突出している
請求項５に記載の照明装置。
【請求項７】
前記照明器具は、器具本体と、前記器具本体に固定され前記器具本体を支持可能な土台と、を含み、
前記ガイド溝は、前記土台に形成されている、
請求項５又は６に記載の照明装置。
【請求項８】
前記土台は、前記ガイド溝の幅方向の両側にある一対の側壁を含み、
前記一対の側壁は、前記器具本体側及び前記幅方向に沿った方向の両側が開放された一対の溝を有し、
前記一対の溝に前記ガイド溝とは反対側から通された一対の軸部を有し、前記照明器具に回転可能に保持された吊り下げ用フックを更に備え、
前記器具本体は、前記ガイド溝内に露出しており前記一対の軸部を受ける一対のクリック壁部を含み、
前記一対のクリック壁部は、前記ガイド溝の長手方向に並んでおり前記一対の軸部それぞれが出入り可能な複数の軸受凹部を有する
請求項７に記載の照明装置。
【請求項９】
前記取付ベースは、吊紐を通す孔を有する、
請求項１乃至８のいずれか一項に記載の照明装置。
【請求項１０】
請求項１乃至９のいずれか一項に記載の照明装置の前記取付ベースに着脱可能に取り付けられ、電池パックを電源として光源を点灯させる照明器具。
【請求項１１】
電池パックを電源として光源を点灯させる照明器具が着脱可能に取り付けられるベース本体と、
前記ベース本体に保持されたマグネットと、を備える、
取付ベース。
【発明の詳細な説明】
【技術分野】
【０００１】
本発明は、一般に、照明装置、照明器具及び取付ベースに関し、より詳細には、電池パックを電源とする照明装置、その照明装置に用いる照明器具及び取付ベースに関するものである。
【背景技術】
【０００２】
従来、バッテリから電力供給を受けて動作する照明装置が提案されている（特許文献１）。特許文献１に記載された照明装置は、本体部と、照明部と、バッテリパック（電池パック）と、を備えている。本体部は、使用者が把持可能な棒状に形成されている。照明部は、本体部の長手方向の一端側に設けられている。バッテリパックは、本体部の長手方向の他端側に着脱自在に装着されている。
【０００３】
照明部は、本体部の長手方向の一端側に形成された連結部を介して、本体部に対し揺動可能、かつ、本体部に対し折り畳み可能、に設けられている。
【先行技術文献】
【特許文献】
【０００４】
【特許文献１】特開２０１６−５１５９８号公報
【発明の概要】
【発明が解決しようとする課題】
【０００５】
電池パックを電源として利用する照明装置、照明器具等においては、設置場所の自由度をより高めることが望まれる場合がある。
【０００６】
本発明の目的は、設置場所の自由度をより高めることが可能な照明装置、照明器具及び取付ベースを提供することにある。
【課題を解決するための手段】
【０００７】
本発明に係る一態様の照明装置は、照明器具と、取付ベースと、を備える。前記照明器具は、電池パックを電源として光源を点灯させる。前記取付ベースは、前記照明器具が取り付けられる。前記取付ベースは、前記照明器具が着脱可能に取り付けられるベース本体と、前記ベース本体に保持されたマグネットと、を含む。
【０００８】
本発明に係る一態様の照明器具は、上記の照明装置の上記の取付ベースに着脱可能に取り付けられ、電池パックを電源として光源を点灯させる。
【０００９】
本発明に係る一態様の取付ベースは、電池パックを電源として光源を点灯させる照明器具が着脱可能に取り付けられるベース本体と、前記ベース本体に保持されたマグネットと、を備える。
【発明の効果】
【００１０】
本発明の照明装置、照明器具及び取付ベースは、設置場所の自由度をより高めることが可能となる。
【図面の簡単な説明】
【００１１】
【図１】図１は、本発明の一実施形態に係る照明装置の上側から見た斜視図である。
【図２】図２は、同上の照明装置の下側から見た斜視図である。
【図３】図３は、同上の照明装置の一部破断した断面図である。
【図４】図４Ａ〜４Ｃは、同上の照明装置における取付ベースへの照明器具の取り付け方の説明図である。
【図５】図５Ａは、本発明の一実施形態に係る照明器具の正面図である。図５Ｂは、同上の照明器具の左側面図である。図５Ｃは、同上の照明器具の右側面図である。
【図６】図６は、同上の照明器具の下面図である。
【図７】図７は、同上の照明器具の上側から見た斜視図である。
【図８】図８は、同上の照明器具の下側から見た斜視図である。
【図９】図９は、同上の照明器具の分解斜視図である。
【図１０】図１０は、同上の照明器具において電池パックを取り外した状態の斜視図である。
【図１１】図１１は、同上の照明器具における複数の光源ユニットそれぞれの第１位置及び第２位置の説明図である。
【図１２】図１２は、同上の照明器具の使用形態の第１例を示す斜視図である。
【図１３】図１３は、同上の照明器具の使用形態の第２例を示す斜視図である。
【図１４】図１４は、本発明の一実施形態に係る取付ベースの斜視図である。
【図１５】図１５Ａは、同上の取付ベースの正面図である。図１５Ｂは、同上の取付ベースの左側面図である。図１５Ｃは、同上の取付ベースの右側面図である。図１５Ｄは、同上の取付ベースの背面図である。
【図１６】図１６は、同上の取付ベースにおいて保護シートを取り外した状態の背面図である。
【図１７】図１７は、同上の取付ベースの分解斜視図である。
【図１８】図１８は、本発明の一実施形態に係る照明装置の使用形態の一例を示す斜視図である。
【発明を実施するための形態】
【００１２】
（実施形態）
（１）照明装置の全体構成
以下、実施形態に係る照明装置２００について、図面を参照して説明する。
【００１３】
照明装置２００は、図１〜４に示すように、照明器具１と、取付ベース１００と、を備える。
【００１４】
照明器具１は、電池パック８を電源として光源３０を点灯させる。取付ベース１００は、照明器具１が取り付けられる。取付ベース１００は、照明器具１が着脱可能に取り付けられるベース本体１０１と、ベース本体１０１に保持された複数（４個）のマグネット１１０と、を含む。
【００１５】
照明装置２００は、マグネット１１０を備えているので、例えば、磁性体により形成された構造物（例えば、スチール製のデスク、金属製の柱、分電盤）等に固定して使用することができる。
【００１６】
（２）照明器具の構成
照明器具１は、可搬型の照明器具である。照明器具１は、より詳細には、ランタン、投光器等として使用可能である。
【００１７】
以下、照明器具１の構造について図５〜１３に基づいて説明する。
【００１８】
照明器具１は、ベース２と、複数（ここでは、２つ）の光源ユニット３と、連結装置４と、回路ユニット（図示せず）と、を備える。照明器具１では、電池パック８が着脱可能に装着される装着部９（図１０参照）が、ベース２に設けられている。電池パック８は、ベース２に設けられた装着部９に装着されることにより、回路ユニットと電気的に接続される。複数の光源ユニット３の各々は、光源３０を備える。光源３０は、１つのＬＥＤモジュール３１（ＬＥＤ：Light Emitting Diode）を含む。連結装置４は、複数の光源ユニット３をベース２に連結する。回路ユニットは、複数の光源ユニット３を点灯させる点灯回路と、点灯回路を制御する制御部と、を含む。回路ユニットは、ベース２に収納されている。回路ユニットは、電池パック８から給電される。
【００１９】
ベース２は、偏平な直方体状に形成されており、厚さ方向の第１面２１及び第２面２２（図５Ｃ参照）を有する。また、ベース２は、長手方向の一端側が開放されている。ベース２は、電気絶縁性を有する。ベース２は、例えば、ＡＢＳ樹脂により形成されている。
【００２０】
ベース２には、回路ユニット等も収容されている。電池パック８は、ベース２に設けられた装着部９（図１０参照）に着脱可能に装着される。
【００２１】
電池パック８は、２個の二次電池（例えば、リチウムイオン電池）と、ハウジング本体８１と、外カバー８２と、を備える。ハウジング本体８１は、偏平な略直方体状であり、２個の二次電池等を収容している。外カバー８２は、筒状であり、ハウジング本体８１の長手方向の一端においてハウジング本体８１を囲んでいる。ここで、外カバー８２は、ハウジング本体８１から離れている。電池パック８は、外カバー８２に、一対の操作片８５が形成されている。一対の操作片８５の各々は、外カバー８２の一部により構成されている。電池パック８は、外カバー８２の周方向において一対の操作片８５の各々の両側にスリット８７が形成されている。これにより、一対の操作片８５の各々は、厚み方向に撓み可能となっている。また、電池パック８は、一対の操作片８５の各々の先端から突出した一対のフック８６を備えている。
【００２２】
電池パック８は、ハウジング本体８１内において２個の二次電池が直列接続されている。電池パック８の定格電圧は、７．２Ｖである。電池パック８としては、例えば、パナソニック株式会社製のリチウムイオン電池パックであるＥＺ９Ｌ２１（品番）を用いることができる。
【００２３】
装着部９は、図１０に示すように、ベース２に設けられ、電池パック８が着脱可能に装着される。装着部９は、電池パック８のハウジング本体８１において外カバー８２により囲まれていない差込部８３を収容する凹部９０を備える。
【００２４】
装着部９は、凹部９０の内周面に、一対のフック８６の各々が引っ掛かる一対の溝９６が形成されている。
【００２５】
照明器具１では、装着部９に電池パック８を取り付けるときには、電池パック８の差込部８３を装着部９に差し込めばよい。これにより、照明器具１では、電池パック８の一対の電源端子と装着部９の一対の接続端子とが一対一で電気的に接続され、かつ、一対のフック８６の各々が装着部９の一対の溝９６に一対一で引っ掛かる。
【００２６】
装着部９から電池パック８を取り外すときには、一対の操作片８５を互いに近づく向きに押し込んで一対のフック８６の各々が一対の溝９６に引っ掛かった状態を解除し、電池パック８を装着部９から引き抜けばよい。
【００２７】
光源ユニット３は、図５Ａ、５Ｃ、７及び８に示すように、光源３０と、ケース３２と、を有する。光源３０は、ケース３２に収納されている。光源３０は、１つのＬＥＤモジュール３１を含んでいる。ＬＥＤモジュール３１は、ＬＥＤ３１１と、ＬＥＤ３１１が実装された回路基板３１２と、を含んでいる。また、ＬＥＤモジュール３１は、光源ユニット３と回路ユニットとを接続する給電用リード線等が接続されるコネクタ３４を含んでいる。
【００２８】
ＬＥＤ３１１は、例えば、表面実装型ＬＥＤである。ＬＥＤ３１１の光源色は、例えば、ＪＩＳ  Ｚ９１１２：２０１２で定義されているＬＥＤの光源色の相関色温度に基づいて設定されているのが好ましい。ＬＥＤ３１１の光源色は、昼白色であるがこれに限らず、例えば、電球色でもよい。
【００２９】
回路基板３１２は、一例として、プリント配線板により構成されている。プリント配線板は、熱伝導率が高いのが好ましい。プリント配線板は、一例として、金属ベースプリント配線板である。回路基板３１２を構成するプリント配線板は、金属ベースプリント配線板に限らず、例えば、ＣＥＭ−３（Composite Epoxy Materials-3）の規格を満たすガラス布・ガラス不織布複合基材エポキシ樹脂銅張積層板から形成されていてもよい。
【００３０】
ＬＥＤモジュール３１は、複数（１６個）のＬＥＤ３１１を含んでいる。ＬＥＤモジュール３１では、回路基板３１２が、長尺の平板状に形成されている。ＬＥＤモジュール３１は、１６個のＬＥＤ３１１が回路基板３１２上において回路基板３１２の長手方向に沿って８個ずつ二列に並んで配置されている。ＬＥＤモジュール３１では、各列の８個のＬＥＤ３１１が直列接続され、８個のＬＥＤ３１１の直列回路同士が並列接続されている。また、光源３０では、１０個のＬＥＤ３１１が直列接続されるように２つのＬＥＤモジュール３１の回路基板３１２の導体部同士がリード線によって接続されている。ＬＥＤモジュール３１では、各列の８個のＬＥＤ３１１が、回路基板３１２の長手方向において略等間隔で並んでいる。ここでいう「略等間隔」とは、厳密に同じ間隔でなくてもよく、所定の範囲内の間隔であればよい。
【００３１】
ケース３２は、長尺のパネル状に形成されている。ケース３２の厚さ方向から見たケース３２の外周形状は、略長方形状である。ケース３２は、図９に示すように、ボディ３２１と、枠体３２３と、カバー３２２と、を有する。ボディ３２１は、光源３０を保持する。カバー３２２は、光源３０を覆うように、枠体３２３を介してボディ３２１に結合されている。ケース３２では、カバー３２２の表面の一部が、光出射面３２２２を構成している。ボディ３２１は、ＡＢＳ樹脂等により形成されている。カバー３２２は、ポリカーボネート等により形成されている。光源ユニット３では、光源３０から放射された光が光出射面３２２２から出射される。
【００３２】
照明器具１は、上述のように、複数（２つ）の光源ユニット３とベース２とを連結する連結装置４を備える。連結装置４は、複数の光源ユニット３の各々を第１軸５０（図９参照）の周り及び第１軸５０に交差する第２軸６０（図９参照）の周りで回転可能とするように構成されている。連結装置４は、軸体７（図９参照）と、ホルダ２０と、複数（２つ）のヒンジ装置５と、複数（２つ）の回転機構６（図９参照）と、を備える。
【００３３】
照明器具１では、軸体７により第１軸５０が規定される。言い換えれば、照明器具１では、軸体７の軸線が、第１軸５０を構成している。軸体７は、シャフト７１を含んでいる。軸体７は、ホルダ２０に保持されている。ホルダ２０は、中空円柱状である。ホルダ２０は、ベース２の第１面２１から突出している。ここにおいて、ホルダ２０は、ベース２に一体に形成されている。ホルダ２０は、ベース２の短手方向に沿った方向が軸方向となるように配置されている。ホルダ２０は、軸方向の両端の各々にホルダ２０の両端間の部位よりも外径の小さな軸部２０１を有する。軸体７は、ホルダ２０の一対の軸部２０１の各々の孔２０４に挿通されている。
【００３４】
ヒンジ装置５は、光源ユニット３を第１軸５０の周りにおいて第１位置（以下、「基準位置」ともいう）と第２位置（以下、「展開位置」ともいう）との間で回転可能となるように光源ユニット３をベース２に連結する。基準位置は、複数の光源ユニット３の各々において他の光源ユニット３と先端同士が最も近づく位置（図１１に実線で示した光源ユニット３の位置）である。展開位置は、複数の光源ユニット３の各々において基準位置から最大回転角だけ回転させた位置（図１１に二点鎖線で示した光源ユニット３の位置）である。
【００３５】
ヒンジ装置５は、軸受部５１と、リング部５２と、連結部５３と、ヒンジ部５４と、アーム５５と、を有する。
【００３６】
軸受部５１は、円筒状に形成されている。軸受部５１は、軸体７に回転可能に支持される。
【００３７】
リング部５２は、軸受部５１を囲んでいる。リング部５２は、軸受部５１と同心的に配置されている。リング部５２の内径は、軸受部５１の外径よりも大きい。リング部５２は、リング部５２の径方向において軸受部５１から離れている。
【００３８】
連結部５３は、軸受部５１とリング部５２との間に配置され、軸受部５１とリング部５２とを連結している。
【００３９】
ヒンジ部５４は、ホルダ２０の２つの軸部２０１のうち軸受部５１から遠い位置にある軸部２０１に回転可能に保持される。軸部２０１は、ヒンジ部５４と同心的に配置されている。
【００４０】
アーム５５は、リング部５２とヒンジ部５４とを連結している。アーム５５は、リング部５２及びヒンジ部５４それぞれの径方向外向きに突出している。アーム５５は、リング部５２及びヒンジ部５４と一緒に回転する。照明器具１では、アーム５５に光源ユニット３が結合されている。
【００４１】
また、ヒンジ装置５は、クリック板５６と、クリック用部材５７と、復帰ばねと、を更に有する。
【００４２】
クリック板５６は、円弧状であり、連結部５３に重ねて配置され連結部５３に固定されている。クリック板５６は、ホルダ２０の軸部２０１との対向面に、半球状の複数の凹部５６１が形成されている。複数の凹部５６１の大きさは、同じである。複数の凹部５６１は、クリック板５６の周方向において略等間隔で並んでいる。複数の凹部５６１は、アーム５５が第１軸５０の回りにおいて第１の規定角度範囲（例えば、９０度）で回転可能となるように配置されている。
【００４３】
クリック用部材５７は、ホルダ２０内に配置される円柱状の台座と、軸部２０１における先端壁２０２の円形状の孔２０３を通して軸部２０１から突出するクリック用突起５７２と、を有する。台座は、孔２０３の内径よりも外径の大きな鍔部を一体に有する。台座は、その軸方向が第１軸５０と平行となるようにホルダ２０内に配置される。クリック用突起５７２は、半球状である。クリック用突起５７２は、クリック板５６の複数の凹部５６１の各々に出入り可能である。復帰ばねは、コイルばねである。復帰ばねは、クリック用部材５７の鍔部に、クリック用突起５７２を軸部２０１から突出させる向きの力を与えている。これにより、クリック用突起５７２は、軸部２０１から突出する位置と突出しない位置との間で移動可能となっている。照明器具１では、使用者が光源ユニット３を第１軸５０の周りで回転させたときに、光源ユニット３の位置を所望の回転位置に維持しやすくなる。また、照明器具１では、使用者が光源ユニット３を回転させたときに使用者がクリック感を得ることが可能となる。
【００４４】
照明器具１は、上述のように複数のヒンジ装置５を備え、複数の光源ユニット３の各々が基準位置から展開位置に回転するときの回転方向が異なるように構成されている。より詳細には、照明器具１では、２つのヒンジ装置５でクリック板５６同士が第１軸５０の方向において重ならないように配置されている。以下では、説明の便宜上、２つの光源ユニット３のうち一方の光源ユニット３を光源ユニット３Ａと称し、他方の光源ユニット３を光源ユニット３Ｂと称することもある。図１１の例では、光源ユニット３Ａが光源ユニット３Ａの基準位置に在り、光源ユニット３Ｂが光源ユニット３Ｂの基準位置に在る。また、図１１では、光源ユニット３Ａの展開位置まで回転させた光源ユニット３Ａを二点鎖線で示してあり、光源ユニット３Ｂの展開位置まで回転させた光源ユニット３Ｂを二点鎖線で示してある。ヒンジ装置５による第１軸５０の周りの光源ユニット３の基準位置から展開位置への回転角は、略９０度である。
【００４５】
回転機構６は、光源ユニット３を第１軸５０に交差する第２軸６０の周りで回転可能となるように光源ユニット３をヒンジ装置５に連結する。
【００４６】
回転機構６は、軸部６１と、軸受部６２と、を有する。軸部６１は、光源ユニット３の長手方向の一端で光源ユニット３に連結されている。軸部６１は、光源ユニット３においてヒンジ装置５のアーム５５に対向する面から突出している。軸部６１は、円筒状である。軸受部６２は、アーム５５に設けられ軸部６１を回転可能に保持する。照明器具１では、軸受部６２により第２軸６０が規定される。照明器具１では、軸部６１内に、一対の給電用リード線等が通されている。一対の給電用リード線は、光源ユニット３と点灯回路とを電気的に接続するための一対のリード線である。
【００４７】
回転機構６では、軸部６１は、第２軸６０の周りで３６０度よりも小さい規定の角度範囲（例えば、３３０度）で回転可能となるようにアーム５５に連結されている。回転機構６による第２軸６０の周りの光源ユニット３の回転角は、略３３０度である。
【００４８】
複数の回転機構６は、複数の光源ユニット３それぞれが基準位置に在るときに複数の光源ユニット３が集まっていて複数の光源ユニット３それぞれの光出射面３２２２が外側を向いた基準状態となるように複数の光源ユニット３の各々の第２軸６０の周りの回転範囲を規定している。複数の光源ユニット３は、個々に第１軸５０の周り及び第２軸６０の周りで回転可能である。ただし、複数の光源ユニット３それぞれが基準位置に在るときには、複数の光源ユニット３それぞれは、第１軸５０の周りの回転のみが可能であり、第２軸６０の周りの回転が禁止される。複数の光源ユニット３のうち少なくとも１つの光源ユニット３が基準位置から第１軸５０の周りに回転した位置にあれば、複数の光源ユニット３それぞれは、第２軸６０の周りの回転が可能となる。図１２では、複数の光源ユニット３の各々を第２軸６０の周りで９０度回転させた例を示してある。
【００４９】
照明器具１では、連結装置４により、２つの光源ユニット３の光出射面３２２２同士を対向させることも可能である。
【００５０】
照明器具１では、上述の回路ユニットは、装着部９に装着された電池パック８から給電されて複数の光源ユニット３の各々の光源３０を点灯させることができるように構成されている。より詳細には、回路ユニットは、電池パック８から給電されてＬＥＤモジュール３１を点灯させる点灯回路を有する。また、回路ユニットは、電池パック８から供給される直流電圧を所定の電源電圧にＤＣ−ＤＣ変換して点灯回路へ与える電源回路を有する。電源回路は、例えば、昇圧チョッパ回路である。点灯回路は、例えば、スイッチング素子、抵抗及び制御用ＩＣ（Integrated Circuit）等を構成要素として含む定電流回路である。したがって、点灯回路は、ＬＥＤモジュール３１へ定電流を供給することができる。定電流回路は、例えば、降圧チョッパ回路である。スイッチング素子は、例えば、エンハンスメント型のｎチャネルＭＯＳＦＥＴである。制御用ＩＣは、スイッチング素子のオン、オフを制御する。制御用ＩＣは、スイッチング素子のオンオフを制御することにより、定電流回路からＬＥＤモジュール３１に供給する定電流の電流値の大きさを調整するように構成されている。ＬＥＤモジュール３１を定格点灯させるときの電流値は、例えば、２８０ｍＡである。また、ＬＥＤモジュール３１を定格点灯時の光出力の１０％の光出力となるように調光点灯させるときの電流値は、例えば、２８ｍＡである。
【００５１】
また、回路ユニットは、電池パック８から供給される直流電圧を所定の制御電圧（例えば、５Ｖ）にＤＣ−ＤＣ変換して制御部へ与える制御電源回路を有する。制御電源回路は、例えば、三端子レギュレータ及びコンデンサ等を含んでいる。制御部は、マイコン（Microcontroller）を含む。マイコンは、プログラムに従って動作するプロセッサと、プロセッサを動作させるプログラムを格納するためのメモリ及び作業用のメモリと、を備えた１チップのデバイスとして構成される。制御部は、マイコンにプログラムを実行させることにより、実現することができる。
【００５２】
照明器具１は、光源ユニット３の全点灯（定格点灯）、調光点灯及び消灯を指示するための操作スイッチを備えている。操作スイッチは、押釦スイッチである。操作スイッチは、制御部に電気的に接続されている。ベース２は、操作スイッチの押釦１２１（図５参照）を露出させる孔２１１（図５Ｃ参照）を有する。
【００５３】
照明器具１では、操作スイッチが操作されたときに回路ユニットの制御部が操作信号を取得する。ここにおいて、「制御部が操作信号を取得する」とは、制御部が、操作スイッチが操作されたことを検知することであってもよい。制御部は、操作スイッチが操作される度に操作信号を取得する。制御部は、操作信号を取得する度に、複数の光源ユニット３を全点灯状態、第１調光点灯状態、第２調光点灯状態、消灯状態の順に変化させるように構成されている。これにより、照明器具１は、多様な照明シーンを実現することが可能となる。光源ユニット３の第１調光点灯状態の場合の光出力は、例えば、全点灯状態の場合の光出力の５０％であり、第２調光点灯状態の場合の光出力は、例えば、全点灯状態の場合の光出力の１０％であり、消灯状態の場合の光出力は、全点灯状態の場合の光出力の０％である。制御部は、点灯回路に光源ユニット３の光出力の大きさを指示するための調光信号を出力する出力部を有している。
【００５４】
照明器具１は、器具本体１１と、土台１２と、を含んでいる。器具本体１１は、ベース２と、連結装置４と、装着部９と、２つの光源ユニット３と、を含んでいる。土台１２は、器具本体１１に固定されている。より詳細には、土台１２は、複数の螺子１２９（図６参照）によってベース２に固定されている。土台１２は、器具本体１１を支持可能である。土台１２は、例えば、ＡＢＳ樹脂等により形成されている。
【００５５】
照明器具１は、器具本体１１と土台１２とにより回転可能に保持された吊り下げ用フック１８を更に備える。ここにおいて、土台１２は、ベース２の長手方向に沿った一対の側壁１２０を含んでいる。また、一対の側壁１２０は、器具本体１１側及びベース２の短手方向に沿った方向の両側が開放された一対の溝１７を有している。
【００５６】
吊り下げ用フック１８は、一対の軸部１８１を有している。より詳細には、吊り下げ用フック１８は、図９に示すように、一対のＪ字状のフック本体部１８０と、一対のフック本体部１８０の基端から互いに近づく向きに突出した一対の軸部１８１と、一対のフック本体部１８０の先端同士を連結している弧状の連結部１８２と、を有する。
【００５７】
器具本体１１は、一対の軸部１８１のそれぞれを受ける一対のクリック壁部１９（図６参照）を有する。一対のクリック壁部１９は、ベース２の第２面２２から突出し、土台１２の一対の側壁１２０の間に位置している。一対のクリック壁部１９は、一対の軸部１８１それぞれが出入り可能な複数の軸受凹部１９１を有する。複数の軸受凹部１９１は、ベース２の長手方向に沿って並んでいる。
【００５８】
照明器具１では、一対のクリック壁部１９を備えているので、吊り下げ用フック１８の一対の軸部１８１をベース２の長手方向に沿って移動させることができ、かつ、一対の軸部１８１を受けている一対の軸受凹部１９１を中心として吊り下げ用フック１８を回転させることができる（図６、８、１０及び１３参照）。照明器具１は、例えば、図１３に示すように吊り下げ用フック１８を９０度回転させた状態で吊り下げて使用することが可能である。照明器具１は、吊り下げ用フック１８を備えることにより、より多様な配光を実現することが可能となる。土台１２は、図１０に示すように吊り下げ用フック１８を仮保持する保持爪１２２を有している。
【００５９】
（取付ベース）
以下、取付ベース１００について図１〜４、１４〜１８に基づいて説明する。
【００６０】
取付ベース１００は、照明器具１が着脱可能に取り付けられるベース本体１０１と、ベース本体１０１に保持された複数（４つ）のマグネット１１０（図２、３、１６及び１７参照）と、を含む。４つのマグネット１１０の各々は、矩形板状である。
【００６１】
ベース本体１０１の厚さ方向（図３の上下方向、図１５Ｂの左右方向）の一方側から見たベース本体１０１の外周形状は、略長方形状である。ベース本体１０１は、合成樹脂（例えば、ＡＢＳ樹脂）等により形成されている。
【００６２】
４個のマグネット１１０は、ベース本体１０１の四隅の近くに配置されている。ベース本体１０１は、裏面（照明器具１とは反対側の面）において短手方向の両側に、２個のマグネット１１０等を収納する２つの収納凹所１１２が形成されている。
【００６３】
取付ベース１００は、図１７に示すように、２つのマグネット保持体１１３と、２つの板１１４と、４本の螺子１１５と、２つの保護シート１１７と、を更に含んでいる。
【００６４】
２つのマグネット保持体１１３の各々は、長尺であり、マグネット保持体１１３の長手方向の両端においてマグネット１１０を保持している。２つのマグネット保持体１１３の各々は、金属製である。２つのマグネット保持体１１３の各々は、その長手方向に直交する断面形状がＵ字状である。２つの板１１４の各々は、２つのマグネット保持体１１３のうち一対一に対応するマグネット保持体１１３に保持されている２つのマグネット１１０の間に配置されている。２つの板１１４の各々の材料は、合成樹脂である。
【００６５】
取付ベース１００には、１つのマグネット保持体１１３と１つの板１１４と２つのマグネット１１０とを１セットとして収納する収納凹所１１２が、２つ形成されている。一対一に対応するマグネット保持体１１３及び板１１４は、収納凹所１１２に収納され、２本の螺子１１５によって、ベース本体１０１に固定されている。
【００６６】
２つの保護シート１１７の各々は、２つのマグネット１１０を覆っている。ここにおいて、２つの保護シート１１７の各々は、１つのマグネット保持体１１３と１つの板１１４と２つのマグネット１１０と２本の螺子１１５の頭部とを覆うように配置されている。
【００６７】
２つの保護シート１１７の各々は、マグネット１１０及び取付ベース１００の設置対象物の表面等を保護するために設けられている。保護シート１１７は、例えば、矩形板状のゴムである。保護シート１１７の厚さについては、取付ベース１００をマグネット１１０の磁力を利用して取付ベース１００を金属製の構造物等に固定するのが妨げられないように決めればよい。
【００６８】
取付ベース１００は、マグネット１１０を含んでいるので、例えば、図１８に示すように、金属製の壁４００に固定することができる。
【００６９】
また、取付ベース１００は、吊紐２５０（図１８参照）を通す複数（２つ）の孔１０９を有する。これにより、取付ベース１００では、例えば、２つの孔１０９に通された吊紐２５０を壁４００に固定されているフック４１０に引っ掛けることが可能となる。
【００７０】
（照明装置の詳細）
照明装置２００は、上述のように、照明器具１と、取付ベース１００と、を備える。
【００７１】
照明器具１は、取付ベース１００のベース本体１０１に向かって突出した係止爪１５（図６参照）を含んでいる。一方、取付ベース１００は、フック１０５を更に含んでいる。フック１０５は、ベース本体１０１からベース本体１０１の厚さ方向に沿った方向へ突出している。より詳細には、フック１０５は、ベース本体１０１から照明器具１に向かって突出している。フック１０５は、ベース本体１０１に照明器具１が取り付けられた状態で係止爪１５に引っ掛かる。フック１０５は、ベース本体１０１の厚さ方向の一方側から見てＵ字状である。フック１０５は、後述のレール部１０２から離れるほどベース本体１０１からの突出寸法が徐々に大きくなっている。照明器具１は、２つの係止爪１５（図６参照）を含んでいる。２つの係止爪１５は、土台１２に設けられている。２つの係止爪１５は、ベース本体１０１の短手方向に沿った方向において互いに離れている。
【００７２】
取付ベース１００は、厚み方向に可撓性を有する撓み部１０６を更に含んでいる。撓み部１０６の厚み方向は、ベース本体１０１の厚さ方向と同じである。フック１０５は、撓み部１０６から撓み部１０６の厚み方向において照明器具１に向かって突出している。
【００７３】
取付ベース１００におけるベース本体１０１は、長尺のレール部１０２（図３、４Ａ〜４Ｃ、１４、１５Ａ及び１５Ｂ参照）を含んでいる。
【００７４】
一方、照明器具１は、ガイド溝１３（図３、５Ｃ、６及び８参照）を有する。ガイド溝１３は、ベース本体１０１側及びレール部１０２の長手方向に沿った方向の一端側が開放されており、一端側からレール部１０２が出入り可能である。ガイド溝１３は、照明器具１における土台１２に形成されている。
【００７５】
レール部１０２は、長尺のレール本体１０３と、レール本体１０３の幅方向の両側面から互いに離れる向きに突出した一対の張出片１０４と、を含む。
【００７６】
照明器具１は、レール本体１０３の幅方向に沿ったガイド溝１３の両側面から互いに近づく向きに突出している一対のガイド片１４を含む。一対のガイド片１４は、図３に示すように、ベース本体１０１の厚さ方向において一対の張出片１０４に重なる。照明装置２００では、図３に示すように、ガイド溝１３の底面と一対のガイド片１４との距離が、ガイド溝１３の底面と一対の張出片１０４との距離よりも長い。
【００７７】
取付ベース１００に照明器具１を取り付ける際には、例えば、図４Ａに示すようにレール部１０２の長手方向においてフック１０５側とは反対側に照明器具１のガイド溝１３の長手方向の一端側が位置するように取付ベース１００と照明器具１とを対向させる。
【００７８】
その後、図４Ｂに示すように、ガイド溝１３にレール部１０２が挿入されるように、取付ベース１００と照明器具１との少なくとも一方をレール部１０２の長手方向に沿った方向に動かす。
【００７９】
さらに、図４Ｃに示すように、一対のガイド片１４の一部と一対の張出片１０４とが重なるように取付ベース１００と照明器具１との少なくとも一方をレール部１０２の長手方向に沿った方向に動かす。このとき、係止爪１５がフック１０５に当たると撓み部１０６が撓み、照明器具１の２つの係止爪１５がフック１０５を乗り越えると撓み部１０６が元の位置に戻り、２つの係止爪１５がフック１０５に引っ掛かる。これにより、取付ベース１００に照明器具１が取り付けられる。
【００８０】
取付ベース１００から照明器具１を取り外す際には、使用者が撓み部１０６を指等で押えて撓ませることで係止爪１５がフック１０５に引っ掛かっている状態を解除してから、照明器具１と取付ベース１００との少なくとも一方をレール部１０２の長手方向に沿った方向において互いに離れるように動かせばよい。
【００８１】
照明装置２００では、取付ベース１００は、図４Ａ、１４、１５Ａ及び１５Ｂに示すように、逆挿入防止突起１０７を更に含む。逆挿入防止突起１０７は、取付ベース１００のレール部１０２がガイド溝１３に対して規定の向きとは逆の向きから挿入されるのを防止する。逆挿入防止突起１０７は、ベース本体１０１からガイド溝１３の底面に向かって突出している。逆挿入防止突起１０７の先端がレール本体１０３の先端面を含む平面よりも照明器具１側に突出している。逆挿入防止突起１０７は、レール部１０２の長手方向においてフック１０５側に配置されている。逆挿入防止突起１０７は、レール部１０２の長手方向においてレール部１０２とフック１０５との間にあり、レール部１０２と繋がっている。逆挿入防止突起１０７は、レール部１０２の長手方向においてフック１０５からは離れている。
【００８２】
照明器具１における土台１２は、ガイド溝１３の幅方向（図６の上下方向）の両側にある一対の側壁１２０（図９参照）を含む。一対の側壁１２０は、器具本体１１側及び幅方向に沿った方向の両側が開放された一対の溝１７を有する。
【００８３】
照明装置２００は、上述のように、吊り下げ用フック１８を更に備えている。吊り下げ用フック１８の一対の軸部１８１は、一対の溝１７にガイド溝１３とは反対側から通されている。また、器具本体１１は、上述のように一対のクリック壁部１９を含む。一対のクリック壁部１９は、ガイド溝１３内に露出しており一対の軸部１８１を受ける。一対のクリック壁部１９は、一対の軸部１８１それぞれが出入り可能な複数の軸受凹部１９１を有する。複数の軸受凹部１９１は、ガイド溝１３の長手方向に並んでいる。照明装置２００では、照明器具１が吊り下げ用フック１８を備えることにより、照明器具１を取付ベース１００に取り付けていない状態で使用する場合に、より多様な配光を実現することが可能となる。
【００８４】
上記の実施形態は、本発明の様々な実施形態の一つに過ぎない。上記の実施形態は、本発明の目的を達成できれば、設計等に応じて種々の変更が可能である。
【００８５】
例えば、照明器具１では、２つの光源ユニット３を備えているが、光源ユニット３の数は２つに限らず、３つ以上でもよいし、１つでもよい。また、照明器具１及び器具本体１１は、２つの光源ユニット３を含んでいるが、光源ユニット３を含まない構成であってもよい。
【００８６】
また、取付ベース１００におけるマグネット１１０の数は、４個に限らず、例えば、１個でもよいし、４個以外の複数でもよい。
【００８７】
また、照明器具１は、電池パック８を構成要素として含まないが、電池パック８を構成要素として含んでいてもよい。また、電池パック８における二次電池の数は、２個に限らず、例えば、１個でもよいし、３個以上でもよい。
【００８８】
また、取付ベース１００は、２つのマグネット保持体１１３と、２つの板１１４と、４本の螺子１１５と、を備えているが、これらを備えずに、例えば、マグネット１１０がベース本体１０１に形成された収納凹所に収納され、接着剤等によって固定されていてもよい。
【００８９】
また、取付ベース１００は、吊紐２５０（図１８参照）を通す２つの孔１０９を有するが、孔１０９の数は、２つに限らず、１つでもよいし、３つ以上であってもよい。また、取付ベース１００において孔１０９は、必須の構成ではない。
【００９０】
（まとめ）
第１の態様に係る照明装置（２００）は、電池パック（８）を電源として光源（３０）を点灯させる照明器具（１）と、照明器具（１）が取り付けられる取付ベース（１００）と、を備える。取付ベース（１００）は、照明器具（１）が着脱可能に取り付けられるベース本体（１０１）と、ベース本体（１０１）に保持されたマグネット（１１０）と、を含む。
【００９１】
第１の態様に係る照明装置（２００）は、設置場所の自由度をより高めることが可能となる。
【００９２】
第２の態様に係る照明装置（２００）では、第１の態様において、照明器具（１）は、ベース本体（１０１）に向かって突出した係止爪（１５）を含む。取付ベース（１００）は、ベース本体（１０１）から照明器具（１）に向かって突出し、ベース本体（１０１）に照明器具（１）が取り付けられた状態で係止爪（１５）に引っ掛かるフック（１０５）を更に含む。
【００９３】
第２の態様に係る照明装置（２００）は、取付ベース（１００）に対して照明器具（１）を、より確実に取り付けることが可能となる。これにより、取付ベース（１００）に対して取り付けられた照明器具（１）が取付ベース（１００）から脱落するのを防止することが可能となる。
【００９４】
第３の態様に係る照明装置（２００）では、第２の態様において、取付ベース（１００）は、厚み方向に可撓性を有する撓み部（１０６）を更に含む。フック（１０５）は、撓み部（１０６）から厚み方向において照明器具（１）に向かって突出している。
【００９５】
第３の態様に係る照明装置（２００）は、取付ベース（１００）から照明器具（１）を取り外しやすくなる。
【００９６】
第４の態様に係る照明装置（２００）では、第１乃至３の態様のいずれか一つにおいて、ベース本体（１０１）は、長尺のレール部（１０２）を含む。照明器具（１）は、ガイド溝（１３）を有する。ガイド溝（１３）は、ベース本体（１０１）側及びレール部（１０２）の長手方向に沿った方向の一端側が開放されており、一端側からレール部（１０２）が出入り可能である。レール部（１０２）は、長尺のレール本体（１０３）と、レール本体（１０３）の幅方向の両側面から互いに離れる向きに突出した一対の張出片（１０４）と、を含む。照明器具（１）は、レール本体（１０３）の幅方向に沿ったガイド溝（１３）の両側面から互いに近づく向きに突出し、一対の張出片（１０４）に重なる一対のガイド片（１４）を含む。ガイド溝（１３）の底面と一対のガイド片（１４）との距離が、ガイド溝（１３）の底面と一対の張出片（１０４）との距離よりも長い。
【００９７】
第４の態様に係る照明装置（２００）は、一対のガイド片（１４）と一対の張出片（１０４）とを摺りながら移動させることで、照明器具（１）を取付ベース（１００）に対してスライド可能に取り付けることが可能となる。
【００９８】
第５の態様に係る照明装置（２００）では、第４の態様において、取付ベース（１００）は、逆挿入防止突起（１０７）を更に含む。逆挿入防止突起（１０７）は、取付ベース（１００）のレール部（１０２）がガイド溝（１３）に対して規定の向きとは逆の向きから挿入されるのを防止する。
【００９９】
第５の態様に係る照明装置（２００）は、取付ベース（１００）のレール部（１０２）がガイド溝（１３）に対して規定の向きとは逆の向きから挿入されるのを防止することが可能となる。
【０１００】
第６の態様に係る照明装置（２００）では、第５の態様において、逆挿入防止突起（１０７）は、ベース本体（１０１）からガイド溝（１３）の底面に向かって突出している。逆挿入防止突起（１０７）の先端がレール本体（１０３）の先端面を含む平面よりも照明器具（１）側に突出している。
【０１０１】
第６の態様に係る照明装置（２００）は、逆挿入防止突起（１０７）の先端がガイド溝（１３）の底面に当たることにより、取付ベース（１００）のレール部（１０２）がガイド溝（１３）に対して規定の向きとは逆の向きから挿入されるのを防止することが可能となる。
【０１０２】
第７の態様に係る照明装置（２００）では、第５又は６の態様において、照明器具（１）は、器具本体（１１）と、器具本体（１１）に固定され器具本体（１１）を支持可能な土台（１２）と、を含む。ガイド溝（１３）は、土台（１２）に形成されている。
【０１０３】
第７の態様に係る照明装置（２００）では、照明器具（１）が土台（１２）を含むので、照明器具（１）を取付ベース（１００）に取り付けずに床上等に設置することが可能となる。
【０１０４】
第８の態様に係る照明装置（２００）では、第７の態様において、土台（１２）は、ガイド溝（１３）の幅方向の両側にある一対の側壁（１２０）を含む。一対の側壁（１２０）は、器具本体（１１）側及び幅方向に沿った方向の両側が開放された一対の溝（１７）を有する。照明装置（２００）は、吊り下げ用フック（１８）を更に備える。吊り下げ用フック（１８）は、一対の溝（１７）にガイド溝（１３）とは反対側から通された一対の軸部（１８１）を有する。吊り下げ用フック（１８）は、照明器具（１）に回転可能に保持されている。器具本体（１１）は、一対のクリック壁部（１９）を含む。一対のクリック壁部（１９）は、ガイド溝（１３）内に露出しており一対の軸部（１８１）を受ける。一対のクリック壁部（１９）は、一対の軸部（１８１）それぞれが出入り可能な複数の軸受凹部（１９１）を有する。複数の軸受凹部（１９１）は、ガイド溝（１３）の長手方向に並んでいる。
【０１０５】
第８の態様に係る照明装置（２００）は、吊り下げ用フック（１８）の一対の軸部（１８１）をガイド溝（１３）の長手方向に沿って移動させることができ、かつ、一対の軸部（１８１）を受けている一対の軸受凹部（１９１）を中心として吊り下げ用フック（１８）を回転させることができるので、設置場所の自由度を更に高めることが可能となる。
【０１０６】
第９の態様に係る照明装置（２００）では、第１乃至８の態様のいずれか一つにおいて、取付ベース（１００）は、吊紐（２５０）を通す孔（１０９）を有する。
【０１０７】
第９の態様に係る照明装置（２００）は、照明装置（２００）の落下をより確実に防止することが可能となる。
【０１０８】
第１０の態様に係る照明器具（１）は、第１乃至９の態様のいずれか一つの照明装置（２００）の取付ベース（１００）に着脱可能に取り付けられ、電池パック（８）を電源として光源（３０）を点灯させる。
【０１０９】
第１０の態様に係る照明器具（１）は、設置場所の自由度をより高めることが可能となる。
【０１１０】
第１１の態様に係る取付ベース（１００）は、電池パック（８）を電源として光源（３０）を点灯させる照明器具（１）が着脱可能に取り付けられるベース本体（１０１）と、ベース本体（１０１）に保持されたマグネット（１１０）と、を備える。
【０１１１】
第１１の態様に係る取付ベース（１００）では、設置場所の自由度をより高めることが可能となる。
【符号の説明】
【０１１２】
１  照明器具
１１  器具本体
１２  土台
１２０  側壁
１３  ガイド溝
１４  ガイド片
１５  係止爪
１７  溝
１８  吊り下げ用フック
１８１  軸部
１９  クリック壁部
１９１  軸受凹部
２  ベース
３０  光源
８  電池パック
１００  取付ベース
１０１  ベース本体
１０２  レール部
１０３  レール本体
１０４  張出片
１０５  フック
１０６  撓み部
１０７  逆挿入防止突起
１０９  孔
１１０  マグネット
２００  照明装置
２５０  吊紐
【図１】
2019067532.tif 000003
【図２】
2019067532.tif 000004
【図３】
2019067532.tif 000005
【図４】
2019067532.tif 000006
【図５】
2019067532.tif 000007
【図６】
2019067532.tif 000008
【図７】
2019067532.tif 000009
【図８】
2019067532.tif 000010
【図９】
2019067532.tif 000011
【図１０】
2019067532.tif 000012
【図１１】
2019067532.tif 000013
【図１２】
2019067532.tif 000014
【図１３】
2019067532.tif 000015
【図１４】
2019067532.tif 000016
【図１５】
2019067532.tif 000017
【図１６】
2019067532.tif 000018
【図１７】
2019067532.tif 000019
【図１８】
2019067532.tif 000020